(57)【要約】【課題】  ボトムケースの立上り板部に対するブッシュの取付け作業性を損なうことなく、トップケースの装着前の組立工程でブッシュが凹入部から抜け出てしまうというという事態や、トップケースの装着後に電気コードが上方に強く引張り上げられたときにトップケースが損傷するという事態を防ぐ。【解決手段】  ボトムケース１の立上り板部１２の凹入部３に、電気コード４のブッシュ５を嵌め込み、そのブッシュ５の溝部５５に凹入部３の縁部３１を差し込んである。凹入部３の開放部３２がトップケース２によって塞がれている。電気コード４のブッシュ５による包囲部分の軸線Ｌに下がり勾配を付与することによって、キャビネットＢの外側で電気コード４を下向きに傾斜させてある。【選択図】        図１
2008112918.tif 000002
【特許請求の範囲】
【請求項１】
ボトムケースと樹脂成形体でなるトップケースとを合わせることにより形成されるキャビネットの上記ボトムケースの立上り板部に形成された切欠状の凹入部に、電気コードに具備されているブッシュが嵌め込まれてそのブッシュに形成されている溝部に上記凹入部の縁部が差し込まれていると共に、その凹入部の開放部が上記トップケースによって塞がれている電気コード引出部構造において、
上記ボトムケースが樹脂成形体でなり、上記溝部が、上記ブッシュに間隔を隔てて具備された一対の鍔部の相互間隙間により、上記電気コードのブッシュによる包囲部分の軸線に対して直角に形成されているのに対し、上記立上り板部が上記凹入部の形成箇所で上記キャビネットの高さ方向に対して傾斜して立ち上がって上記キャビネットの内側から外側に向かう上記軸線に下がり勾配が付与され、上記溝部に上記凹入部の縁部が差し込まれることによって上記立上り板部の外側に配備されている上記鍔部に、上記立上り板部に形成された突出部がその鍔部の上方から対峙していることを特徴とする電気コード引出部構造。
【請求項２】
ボトムケースと樹脂成形体でなるトップケースとを合わせることにより形成されるキャビネットの上記ボトムケースの立上り板部に形成された切欠状の凹入部に、電気コードに具備されているブッシュが嵌め込まれてそのブッシュに形成されている溝部に上記凹入部の縁部が差し込まれていると共に、その凹入部の開放部が上記トップケースによって塞がれている電気コード引出部構造において、
上記キャビネットの内側から外側に向かう上記電気コードのブッシュによる包囲部分の軸線に下がり勾配が付与されていることを特徴とする電気コード引出部構造。
【請求項３】
上記溝部が上記軸線に対して直角に形成されていて、上記立上り板部が上記凹入部の形成箇所で上記キャビネットの高さ方向に対して傾斜して立ち上がっている請求項２に記載した電気コード引出部構造。
【請求項４】
上記溝部が、上記ブッシュに間隔を隔てて具備された一対の鍔部の相互間隙間によって形成されていて、その溝部に上記凹入部の縁部が差し込まれることによって上記立上り板部の外側に配備されている上記鍔部に、上記立上り板部に形成された突出部がその鍔部の上方から対峙している請求項３に記載した電気コード引出部構造。
【請求項５】
上記溝部が上記軸線に対し直角以外の角度に傾斜して形成されていて、上記立上り板部が上記凹入部の形成箇所で上記キャビネットの高さ方向に立ち上がっている請求項２に記載した電気コード引出部構造。
【発明の詳細な説明】
【技術分野】
【０００１】
本発明は、電気コード引出部構造、特に、キャビネットから引き出されている電気コードが上向きに強く引き上げられたときに、その電気コードがキャビネットが外れたりキャビネットを損傷させたりすることを防止する対策を講じた電気コード引出部構造に関する。
【背景技術】
【０００２】
ＤＶＤプレーヤなどの電気機器では、そのキャビネットの内側から外側へ電源コードその他の電気コードが引き出されていることが多く、キャビネットからの電気コードの引出箇所では、電気コードに具備させたブッシュをキャビネット側の開口部に取り付けることによって、電気コードがキャビネットに擦れたり屈曲したりすることによる電気コードの損傷を防いでいる。
【０００３】
図３には電気コード引出部構造の従来例を分解斜視図で示し、図４には同従来例を縦断面図で示してある。図４のように、従来例では、電気機器のキャビネットＢがボトムケース１とトップケース２とを合わせることによって箱形に形成されている。また、ボトムケース１の背板又は側板を形成している垂直な立上り板部１２に形成された切欠状の凹入部３に、電気コード４に具備されているブッシュ５が嵌め込まれていて、そのブッシュ５に形成されている溝部５５に上記凹入部３に備わっている略Ｕ字形の縁部３１が差し込まれ、かつ、その凹入部３の開放部３２がトップケース２の縁枠部２１によって塞がれている。
【０００４】
上記従来例において、ブッシュ５の溝部５５は、そのブッシュ５に間隔を隔てて具備された一対の鍔部５１，５２の相互間隙間により環状に形成されていることに加えて、キャビネットＢの内側から外側に向かう電気コード４のブッシュ５による包囲部分の軸線ＬがキャビネットＢの高さ方向Ｈに対して直交している。さらに、その溝部５５に上記のように凹入部３の縁部３１が差し込まれている状態では、一対の鍔部５１が縁部３１を挟み付けているために電気コード４がキャビネットの内外方向で動きにくくなっている。さらに、ブッシュ５にはキャビネットの外側に配備されている鍔部５２から延び出たスリーブ部５６が備わっていて、このスリーブ部５６が電気コード４の屈曲を抑制して断線などが起こる事態を防いでいる。一方、トップケース２は、ボトムケース１にビス止めなどの適宜手段で強固に結合されている。
【０００５】
一方、従来例では、図３のように凹入部３の縁部３１の形状を略Ｕ字形（図例では角張ったＵ字形）に形成してあって、ブッシュ５を立上り板部１２に取り付けるときの組立工程では、ブッシュ５を垂直な立上り板部１２の凹入部３に矢印Ａのようにまっすぐに嵌め込んでその溝部５５に凹入部３の縁部３１を差し込むという１工程を行うだけで立上り板部１２にブッシュ５を取り付けることができるようになっている。このため、従来例による電気コード引出部構造は、立上り板部１２に対するブッシュ５の取付け作業性に優れているということが云える。
【０００６】
一方、テレビジョン受像機における電源コードの固定構造として図５に示したものが提案されている（たとえば、特許文献１参照）。このものは、垂直なシャーシの壁面１００の切欠状の凹入部１１０に、その凹入部１１０の上向きの開放部を横切る向きに突き出た上片部１２０を設けておき、凹入部１１０に嵌め込んだ電源コード２００のブッシュ２１０を上片部１２０に係止させておくというものである。このものによると、電源コード２００が上方に引張り上げられたときに上片部１２０によってその力が受け止められる。また、この固定構造を組み立てるときには、図５に矢印Ａ１，Ｂ１に示したように、最初の段階でブッシュ２１０を凹入部１１０に差し込み、次に、そのブッシュ２１０を横にスライドさせて上片部１２０の下側に嵌め込むという２工程が行われる。
【０００７】
また、モジュラージャックコネクタに関して、それに差し込まれた相手方プラグが外装面から突き出さないようにするための研究も行われている（たとえば、特許文献２参照）。
【特許文献１】特開２００５−２９３８９７号公報
【特許文献２】特開２０００−３４９４６０号公報
【発明の開示】
【発明が解決しようとする課題】
【０００８】
図４を参照して説明した従来例の電気コード引出部構造では、トップケース２の装着前の組立工程で図４の矢印Ｐのように電気コード４が上方に引張り上げられると、その構造上、ブッシュ５が凹入部３から抜け出てしまうことがあり、そのようにブッシュ５が抜け出てしまうと、作業者がブッシュ５の取付け作業を再度やり直さなければならないという問題が生じる。
【０００９】
また、トップケース２の装着後に、ユーザなどによって電気コード４が上方に引張り上げられたようなときには、ブッシュ５が凹入部３の開放部３２（図３参照）を閉じているトップケース２の縁枠部２１に引掛かってその凹入部３からの抜出しが阻止されるけれども、電気コード４が大きな力で無理に引張り上げられたようなときには、電気コード４を上方に引張り上げる力によって持ち上げられたブッシュ５がトップケース２の縁枠部２１に強く当たるという状況が発生し、場合によっては、トップケース２が変形したり割れたり欠けたりしてトップケース２が損傷するいう事態の起こるおそれがある。このようなおそれは、板金に比べて割れたり欠けたりしやすい樹脂成形体でトップケース２が作られている電気機器において存在していることが判っている。
【００１０】
そこで、この点を改善するために、図５を参照して説明した技術を適用することにより、図３に示した凹入部３に上片部を追加することも考えられる。しかしながら、そのようにすると、図５について上述したように、組み立てるときに、図５矢印Ａ１，Ｂ１のように２工程を行う必要が生じてそれだけ組立作業が煩雑になって量産性が阻害されるという問題が生じる。
【００１１】
そこで、本発明は、図３を参照して説明した取付け作業性の優れた点をそのまま生かしつつ、トップケースの装着前の組立工程で電気コードが上方に引張り上げられるような状況が生じたときでもブッシュが凹入部から抜け出てしまうというという事態が生じにくくなり、しかも、トップケースの装着後にユーザなどによって電気コードが上方に強く引張り上げられたときでも、ブッシュがトップケースに強く当たるという状況が発生しなくなる電気コード引出部構造を提供することを目的とする。
【課題を解決するための手段】
【００１２】
本発明に係る電気コード引出部構造は、ボトムケースと樹脂成形体でなるトップケースとを合わせることにより形成されるキャビネットの上記ボトムケースの立上り板部に形成された切欠状の凹入部に、電気コードに具備されているブッシュが嵌め込まれてそのブッシュに形成されている溝部に上記凹入部の縁部が差し込まれていると共に、その凹入部の開放部が上記トップケースによって塞がれている。そして、上記キャビネットの内側から外側に向かう上記電気コードのブッシュによる包囲部分の軸線に下がり勾配が付与されている。
【００１３】
この構成であると、トップケースの装着前又は装着後にかかわらず、凹入部にブッシュが嵌め込まれている状態で電気コードが上方に引張り上げられたときには、ブッシュが、凹入部に嵌まり込んだ状態のまま、立上り板部の外側に位置している部分が引き上げられる方向に捩じれてその立上り板部に引掛かる。そのため、凹入部からブッシュが抜け出しにくくなる。したがって、トップケースの装着前に凹入部からブッシュが抜け出てしまって作業者がブッシュの取付け作業を再度やり直さなければならないという事態が起こりにくくなるだけでなく、トップケースの装着後にユーザによって電気コードが上方に強く引っ張られたとしても、ブッシュがトップケースに強く当たるという状況が発生しなくなってトップケースの損傷が防止される。また、取付け作業性に関しては、図３を参照して説明した手順をそのまま採用することが可能になるので、立上り板部に対するブッシュの取付け作業性が損なわれることはない。
【００１４】
本発明では、上記溝部が上記軸線に対して直角に形成されていて、上記立上り板部が上記凹入部の形成箇所で上記キャビネットの高さ方向に対して傾斜して立ち上がっている、という構成を採用することが可能である。そして、この構成を採用する場合には、上記溝部が、上記ブッシュに間隔を隔てて具備された一対の鍔部の相互間隙間によって形成されていて、その溝部に上記凹入部の縁部が差し込まれることによって上記立上り板部の外側に配備されている上記鍔部に、上記立上り板部に形成された突出部がその鍔部の上方から対峙している、という構成をさらに追加して採用することが可能である。この構成を採用すると、ブッシュとして図３又は図４に示した従来例に採用されているものをそのまま用いることができるという利便性がある。
【００１５】
また、本発明では、上記溝部が上記軸線に対し直角以外の角度に傾斜して形成されていて、上記立上り板部が上記凹入部の形成箇所で上記キャビネットの高さ方向に立ち上がっているという構成を採用することも可能である。この構成であると、立上り板部の形状として、図３又は図４に示した従来例に採用されているものをそのまま用いることができるという利便性がある。
【００１６】
本発明に係る電気コード引出部構造は、ボトムケースと樹脂成形体でなるトップケースとを合わせることにより形成されるキャビネットの上記ボトムケースの立上り板部に形成された切欠状の凹入部に、電気コードに具備されているブッシュが嵌め込まれてそのブッシュに形成されている溝部に上記凹入部の縁部が差し込まれていると共に、その凹入部の開放部が上記トップケースによって塞がれている電気コード引出部構造において、上記ボトムケースが樹脂成形体でなり、上記溝部が、上記ブッシュに間隔を隔てて具備された一対の鍔部の相互間隙間により、上記電気コードのブッシュによる包囲部分の軸線に対して直角に形成されているのに対し、上記立上り板部が上記凹入部の形成箇所で上記キャビネットの高さ方向に対して傾斜して立ち上がって上記キャビネットの内側から外側に向かう上記電気コードのブッシュによる包囲部分の軸線に下がり勾配が付与され、上記溝部に上記凹入部の縁部が差し込まれることによって上記立上り板部の外側に配備されている上記鍔部に、上記立上り板部に形成された突出部がその鍔部の上方から対峙している、という構成を採用することによっていっそう具体化される。この発明の作用などについては、後述する実施形態を参照して詳細に説明する。
【発明の効果】
【００１７】
以上のように、本発明によれば、図３を参照して説明した優れた取付け作業性を損なうことなく、トップケースの装着前の組立工程でブッシュが凹入部から抜け出てしまうというという事態や、トップケースの装着後にユーザなどによって電気コードが上方に強く引張り上げられたときにブッシュがトップケースに強く当たってトップケースが損傷するという事態が未然に防止される。したがって、組立工程では量産性が損なわれないという効果が奏され、また、ユーザによる使用段階では、電気コードが強く上方に引張られるという不足の事態が起こったとしてもトップケースが損傷することがなくなってその耐久性が改善されるという効果が奏される。
【発明を実施するための最良の形態】
【００１８】
図１は本発明に係る電気コード引出部構造の実施形態を示した縦断面図である。この実施形態はＤＶＤプレーヤなどの電気機器についてのものであり、キャビネットＢの内側から外側へ電源コードでなる電気コード４が引き出されている。そして、キャビネットＢからの電気コード４の引出箇所では、電気コード４に具備されているブッシュ５によって、その電気コード４がキャビネットＢに擦れたり屈曲したりすることによる損傷が防止されている。
【００１９】
キャビネットＢは、ボトムケース１とトップケース２とをビス止め結合することによって箱形に形成されていると共に、それらのボトムケース１とトップケース２との両方を樹脂成形体で形成することによってキャビネットＢの軽量化やコストダウンなどを図っている。
【００２０】
また、ボトムケース１の背板又は側板を形成している立上り板部１２に形成された切欠状の凹入部３に上記ブッシュ５が嵌め込まれていて、そのブッシュ５に形成されている溝部５５に上記凹入部３に備わっている略Ｕ字形の縁部３１が差し込まれ、かつ、その凹入部３の開放部３２がトップケース２の縁枠部２１によって塞がれている。
【００２１】
ブッシュ５には、弾力性を有するゴム材又は樹脂材が用いられていて、電気コード４の外皮と一体化されているものや電気コード４に圧入状に嵌め込まれているものなどがある。ブッシュ５の溝部５５は、そのブッシュ５に間隔を隔てて具備された一対の鍔部５１，５２の相互間隙間により環状に形成されていて、その溝部５５に上記のように凹入部３の縁部３１が差し込まれている状態では、一対の鍔部５１が縁部３１を挟み付けているために電気コード４がキャビネットＢの内外方向で動きにくくなっている。さらに、ブッシュ５にはキャビネットの外側に配備されている鍔部５２から延び出たスリーブ部５６が備わっていて、このスリーブ部５６が電気コード４の屈曲を抑制して断線などが起こる事態を防いでいる。
【００２２】
この実施形態において、上記立上り板部１２は、上記凹入部３の形成箇所イがキャビネットＢの高さ方向Ｈに対して傾斜して立ち上がっている。また、ブッシュ５の溝部５５と、そのブッシュ５によって包囲されている電気コード４の軸線Ｌとは直交している。したがって、傾斜している上記凹入部３の形成箇所イに図１のようにブッシュ５が取り付けられている状態では、キャビネットＢの内側から外側に向かう電気コード４のブッシュ５による包囲部分の上記軸線Ｌに下がり勾配が付与されている。言い換えると、電気コード４はキャビネットＢに対するブッシュ５の取付箇所から下向きに傾斜して延び出ている。
【００２３】
この電気コード引出部構造によると、トップケース２の装着前の組立工程において、凹入部３にブッシュ５が嵌め込まれている状態で電気コード４が上方（矢印Ｐ）に引張り上げられたときには、ブッシュ５が凹入部３に嵌まり込んだまま、そのブッシュ５の立上り板部１２の外側に位置している部分である鍔部５２やスリーブ５６が引き上げられる方向に捩じれてその立上り板部１２の凹入部３の形成箇所イに引掛かる。
【００２４】
このときの引掛かりに伴って生じるブッシュ５に対する滑り止め作用は、凹入部３の形成箇所イで立上り板部１２がキャビネットＢの高さ方向Ｈに対して傾斜していて、ブッシュ５の溝部５５が電気コード４の上記軸線Ｌに直交しているために、図４で説明した従来例の場合よりも格段に大きくなり、しかも、その滑り止め作用は、電気コード４を上方（矢印Ｐ）に引張り上げる力が大きければ大きいほど顕著に発揮されて凹入部３からブッシュ５が抜け出しにくくなる。そのため、凹入部３からブッシュ５が抜け出てしまって作業者がブッシュ５の取付け作業を再度やり直さなければならないという事態が回避される。
【００２５】
加えて、ブッシュ５を立上り板部１２に取り付ける組立工程では、ブッシュ５を、傾斜している凹入部３の形成箇所イに対してまっすぐに嵌め込んでその溝部５５に凹入部３の縁部３１を差し込むという１工程を行うだけで済むので、立上り板部１２に対するブッシュ５の取付け作業性が、図４を参照して説明した従来例のそれと遜色のないものになる。したがって、組立工程での量産性も損なわれない。
【００２６】
トップケースの装着後にユーザによって電気コードが上方に強く引っ張られたときにも、上記同様に、ブッシュ５が、凹入部３に嵌まり込んだまま、鍔部５２やスリーブ５６が引き上げられる方向に捩じれてその立上り板部１２の凹入部３の形成箇所イに引掛かる。したがって、トップケース２の縁枠部２１にブッシュ５が強く当たるという状況が発生しなくなってトップケース２の損傷が防止される。
【００２７】
この実施形態では、特に、立上り板部１２の凹入部３の形成箇所イの上部に段付面でなる突出部３３を形成してあって、その突出部３３をブッシュ５の外側の鍔部５２に上方から対峙させている。この構成を採用しておくと、電気コード４が上方に引張り上げられてブッシュ５が凹入部３の形成箇所イを滑り上がったとしても、鍔部５２が突出部３３に当たって、それより上にブッシュ５が滑り上がるという事態が確実に阻止される。したがって、トップケース２の装着前の組立工程でブッシュ５が凹入部３から抜け出るという事態が確実に防止されるという利点がある。
【００２８】
図２は本発明に係る電気コード引出部構造の他の実施形態を示した縦断面図である。この実施形態では、ボトムケース１の立上り板部１２をキャビネットＢの高さ方向に立ち上げてその立上り板部１２に切欠状に凹入部３を形成してある代わりに、ブッシュ５の溝部５５を、電気コード４のブッシュ５による包囲部分の軸線Ｌに対し直角以外の角度に傾斜させて形成してある。したがって、この実施形態においても、垂直な立上り板部１２の凹入部３の形成箇所イにブッシュ５が取り付けられている状態では、キャビネットＢの内側から外側に向かう電気コード４のブッシュ５による包囲部分の軸線Ｌに下がり勾配が付与され、電気コード４がキャビネットＢに対するブッシュ５の取付箇所から下向きに傾斜して延び出ている。その他の構成は図１のものと同様である。
【００２９】
図２の実施形態によっても、凹入部３にブッシュ５が嵌め込まれている状態で電気コード４が上方（矢印Ｐ）に引張り上げられたときには、ブッシュ５が凹入部３に嵌まり込んだまま、そのブッシュ５の立上り板部１２の外側に位置している鍔部５２やスリーブ５６が引き上げられる方向に捩じれてその立上り板部１２の凹入部３の形成箇所イに引掛かる。このときの引掛かりに伴って生じるブッシュ５に対する滑り止め作用は、凹入部３の形成箇所イで立上り板部１２がキャビネットＢの高さ方向Ｈに立ち上っていて、ブッシュ５の溝部５５が電気コード４の上記軸線Ｌに対して直角以外の角度に傾斜しているために、図１の実施形態の場合と同様に図４で説明した従来例の場合よりも格段に大きくなり、しかも、その滑り止め作用は、電気コード４を上方（矢印Ｐ）に引張り上げる力が大きければ大きいほど顕著に発揮されて凹入部３からブッシュ５が抜け出しにくくなる。そのため、組立工程で凹入部３からブッシュ５が抜け出てしまって作業者がブッシュ５の取付け作業を再度やり直さなければならないという事態が回避されるだけでなく、トップケースの装着後にユーザによって電気コード４が上方に強く引っ張られたときにも、トップケース２の縁枠部２１にブッシュ５が強く当たるという状況が発生しなくなってトップケース２の損傷が防止される。
【００３０】
また、ブッシュ５を立上り板部１２に取り付ける組立工程では、ブッシュ５を凹入部３の形成箇所イに対してまっすぐに嵌め込んでその溝部５５に凹入部３の縁部３１を差し込むという１工程を行うだけで済むので、立上り板部１２に対するブッシュ５の取付け作業性が、図４を参照して説明した従来例のそれと遜色のないものになる。したがって、組立工程での量産性も損なわれない。
【００３１】
なお、説明の便宜上、図１〜図４では同一又は相応部分に同一符号を付してある。
【図面の簡単な説明】
【００３２】
【図１】本発明に係る電気コード引出部構造の実施形態を示した縦断面図である。
【図２】本発明に係る電気コード引出部構造の他の実施形態を示した縦断面図である。
【図３】従来例の分解斜視図である。
【図４】同従来例の縦断面図である。
【図５】特許文献１に記載されている電源コードの固定構造についての分解斜視図である。
【符号の説明】
【００３３】
Ｂ  キャビネット
Ｈ  キャビネットの高さ方向
１  ボトムケース
２  トップケース
３  凹入部
４  電気コード
５  ブッシュ
１２  立上り板部
３１  凹入部の縁部
３２  凹入部の開放部
３３  突出部
５１，５２  鍔部
５５  ブッシュの溝部
Ｌ  電気コードのブッシュによる包囲部分の軸線
イ  凹入部の形成箇所
【図１】
2008112918.tif 000003
【図２】
2008112918.tif 000004
【図３】
2008112918.tif 000005
【図４】
2008112918.tif 000006
【図５】
2008112918.tif 000007